(57)【要約】【課題】  誤ったＴＭＣＣ情報に基づいてＯＦＤＭ復調装置が動作することを防止する。【解決手段】  復調部は、直交周波数分割多重方式に従って変調された入力信号を所定の復調方式で復調することで、入力信号に含まれるＴＭＣＣ信号を検出する。同期信号検出部は、ＴＭＣＣ信号における同期信号を検出する。復号部は、ＴＭＣＣ信号におけるＴＭＣＣ情報を復号する。判定部は、同期信号の誤りビット数を算出し、誤りビット数が閾値より小さい場合にＴＭＣＣ信号におけるＴＭＣＣ情報の復号が可能であると判定する。記憶部は、動作モードの設定に利用されるＴＭＣＣ情報を記憶する。記憶制御部は、判定部によりＴＭＣＣ信号におけるＴＭＣＣ情報の復号が可能であると判定された場合にのみ、記憶部により記憶されるＴＭＣＣ情報を復号部により復号されたＴＭＣＣ情報に更新する。【選択図】    図４
2007235789.tif 000002
【特許請求の範囲】
【請求項１】
直交周波数分割多重方式に従って変調された入力信号を所定の復調方式で復調することで、前記入力信号に含まれるＴＭＣＣ信号を検出する復調部と、
前記ＴＭＣＣ信号における同期信号を検出する同期信号検出部と、
前記ＴＭＣＣ信号におけるＴＭＣＣ情報を復号する復号部と、
前記同期信号の誤りビット数を算出し、前記誤りビット数が閾値より小さい場合に前記ＴＭＣＣ信号におけるＴＭＣＣ情報の復号が可能であると判定する判定部と、
動作モードの設定に利用されるＴＭＣＣ情報を記憶する記憶部と、
前記判定部により前記ＴＭＣＣ信号におけるＴＭＣＣ情報の復号が可能であると判定された場合にのみ、前記記憶部により記憶されるＴＭＣＣ情報を前記復号部により復号されたＴＭＣＣ情報に更新する記憶制御部とを備えることを特徴とするＯＦＤＭ復調装置。
【請求項２】
請求項１記載のＯＦＤＭ復調装置において、
前記復号部は、前記判定部により前記ＴＭＣＣ信号におけるＴＭＣＣ情報の復号が可能であると判定された場合にのみ、復号動作を実施することを特徴とするＯＦＤＭ復調装置。
【請求項３】
請求項１記載のＯＦＤＭ復調装置において、
前記ＴＭＣＣ信号は、日本の地上ディジタル放送の規格に準拠することを特徴とするＯＦＤＭ復調装置。
【請求項４】
直交周波数分割多重方式に従って変調された入力信号を所定の復調方式で復調することで、前記入力信号に含まれるＴＭＣＣ信号を検出する復調工程と、
前記ＴＭＣＣ信号における同期信号を検出する同期信号検出工程と、
前記ＴＭＣＣ信号におけるＴＭＣＣ情報を復号する復号工程と、
前記同期信号の誤りビット数を算出し、前記誤りビット数が閾値より小さい場合に前記ＴＭＣＣ信号におけるＴＭＣＣ情報の復号が可能であると判定する判定工程と、
前記判定工程により前記ＴＭＣＣ信号におけるＴＭＣＣ情報の復号が可能であると判定された場合にのみ、動作モードの設定に利用するために記憶するＴＭＣＣ情報を前記復号工程により復号されたＴＭＣＣ情報に更新する記憶制御工程とを含むことを特徴とするＯＦＤＭ復調方法。
【請求項５】
請求項４記載のＯＦＤＭ復調方法において、
前記復号工程では、前記判定工程により前記ＴＭＣＣ信号におけるＴＭＣＣ情報の復号が可能であると判定された場合にのみ、復号動作を実施することを特徴とするＯＦＤＭ復調方法。
【発明の詳細な説明】
【技術分野】
【０００１】
本発明は、直行周波数分割多重（ＯＦＤＭ：Orthogonal Frequency Division Multiplex）方式に従って変調された入力信号を復調するＯＦＤＭ復調装置およびＯＦＤＭ復調方法に関する。
【背景技術】
【０００２】
一般に、ＯＦＤＭ復調装置では、まず、入力信号に対してＡ／Ｄ変換処理が実施され、Ａ／Ｄ変換処理により生成されたディジタル信号に対して所定のタイミングで復調処理が実施される。続いて、復調処理により生成された復調信号に対する所定の復調処理によりＴＭＣＣ（Transmission and Multiplexing Configuration Control）信号が検出され、ＴＭＣＣ信号におけるＴＭＣＣ情報（符号化部分）に対して誤り訂正処理（復号処理）が実施される。そして、復調信号に対する所定の復調処理により主信号（映像情報や音声情報など）が検出され、ＴＭＣＣ信号におけるＴＭＣＣ情報に対する復号処理により再生されたＴＭＣＣ情報に基づいて、主信号に対して誤り訂正処理が実施される。このようなＯＦＤＭ復調装置に関する技術は、例えば、特許文献１、２に開示されている。
【特許文献１】特開平１１−２２５１２４号公報
【特許文献２】特開２０００−２７８２４４号公報
【発明の開示】
【発明が解決しようとする課題】
【０００３】
ところで、ＯＦＤＭ復調装置では、受信状況が劣悪な場合、ＴＭＣＣ信号におけるＴＭＣＣ情報に対する誤り訂正処理が処理性能の限界を超えて実施される可能性がある。このような場合、誤ったＴＭＣＣ情報が再生されてしまう。従って、主信号を検出するための復調処理の技術が進歩して主信号が正しく検出される環境であっても、誤ったＴＭＣＣ情報が再生されたために、主信号に対する誤り訂正処理により生成されるデータが劣化してしまう可能性がある。
【０００４】
本発明は、このような従来の問題点に鑑みてなされたものであり、誤ったＴＭＣＣ情報に基づいてＯＦＤＭ復調装置が動作することを防止することを目的とする。
【課題を解決するための手段】
【０００５】
本発明の一形態では、ＯＦＤＭ復調装置は、復調部、同期信号検出部、復号部、判定部、記憶部および記憶制御部を備えて構成される。復調部は、直交周波数分割多重方式に従って変調された入力信号を所定の復調方式で復調することで、入力信号に含まれるＴＭＣＣ信号を検出する（復調工程）。ここで、ＴＭＣＣ信号は、日本の地上ディジタル放送の規格に準拠するＴＭＣＣ信号である。同期信号検出部は、復調部により検出されたＴＭＣＣ信号における同期信号を検出する（同期信号検出工程）。復号部は、復調部により検出されたＴＭＣＣ信号におけるＴＭＣＣ情報を復号する（復号工程）。判定部は、同期信号検出部により検出された同期信号の誤りビット数を算出し、誤りビット数が閾値より小さい場合にＴＭＣＣ信号におけるＴＭＣＣ情報の復号が可能であると判定する（判定工程）。記憶部は、動作モードの設定に利用されるＴＭＣＣ情報を記憶する。記憶制御部は、判定部によりＴＭＣＣ信号におけるＴＭＣＣ情報の復号が可能であると判定された場合にのみ、記憶部により記憶されるＴＭＣＣ情報を復号部により復号されたＴＭＣＣ情報に更新する（記憶制御工程）。
【０００６】
このようなＯＦＤＭ復調装置では、誤りビット数が閾値より大きい場合には、判定部によりＴＭＣＣ信号におけるＴＭＣＣ情報の復号（誤り訂正）が不可能であると判定されるため、記憶部により記憶されるＴＭＣＣ情報（動作モードの設定に利用されるＴＭＣＣ情報）が復号部により復号されたＴＭＣＣ情報に更新されることはない。このため、受信状況が劣悪であるために、復号部により誤ったＴＭＣＣ情報が再生される場合でも、誤ったＴＭＣＣ情報に基づいてＯＦＤＭ復調装置が動作することはない。
【０００７】
本発明の一形態の好ましい例では、復号部は、判定部によりＴＭＣＣ信号におけるＴＭＣＣ情報の復号が可能であると判定された場合にのみ、復号動作を実施する。すなわち、復号部は、判定部によりＴＭＣＣ信号におけるＴＭＣＣ情報の復号が不可能であると判定された場合には、復号動作を実施しない。このように、復号部は必要とされる場合にのみ復号動作を実施するため、ＯＦＤＭ復調装置の消費電力を削減できる。
【発明の効果】
【０００８】
本発明によれば、誤ったＴＭＣＣ情報に基づいてＯＦＤＭ復調装置が動作することを防止できる。
【発明を実施するための最良の形態】
【０００９】
以下、図面を用いて本発明の実施形態を説明する。図１は、本発明の第１実施形態を示している。図２は、ＴＭＣＣ信号の仕様を示している。ＯＦＤＭ復調装置１００は、Ａ／Ｄ変換部１１０、クロック生成部１２０、復調部１３０、ＴＭＣＣ情報再生部１４０および主信号処理部１５０を有している。
Ａ／Ｄ変換部１１０は、チューナ等から供給される入力信号に対してＡ／Ｄ変換処理を実施する。ここで、入力信号は、日本の地上ディジタル放送の放送信号、すなわちＯＦＤＭ方式に従って変調された信号である。クロック生成部１２０は、Ａ／Ｄ変換部１１０から供給されるディジタル信号に基づいて、基準クロックを生成して出力する。復調部１３０は、クロック生成部１２０から供給される基準クロックに基づいて、Ａ／Ｄ変換部１１０から供給されるディジタル信号を復調して出力する。
【００１０】
ＴＭＣＣ情報再生部１４０は、復調部１３０から供給される復調信号に含まれるＴＭＣＣ信号を検出し、ＴＭＣＣ信号におけるＴＭＣＣ情報に対して誤り訂正処理を実施する。ＴＭＣＣ情報再生部１４０は、必要に応じて、誤り訂正処理により再生されたＴＭＣＣ情報を用いて、主信号処理部１５０に出力するＴＭＣＣ情報を更新する。主信号処理部１５０は、復調部１３０から供給される復調信号に含まれる主信号（映像情報や音声情報など）を検出し、ＴＭＣＣ情報再生部１４０から供給されるＴＭＣＣ情報に基づいて主信号に対する誤り訂正処理を実施してＭＰＥＧ−２ＴＳ（Moving Picture Experts Group Phase 2 Transport Stream）を出力する。
【００１１】
なお、ＴＭＣＣ信号は、図２に示すように、差動復調の基準となる部分（ビット０）、同期信号部分（ビット１〜１６）、セグメント形式識別部分（ビット１７〜１９）、ＴＭＣＣ情報部分（ビット２０〜１２１）およびパリティビット部分（ビット１２２〜２０３）で構成される２０４ビットの信号であり、日本の地上ディジタル放送の規格であるＩＳＤＢ−Ｔ（Integrated Services Digital Broadcasting - Terrestrial）規格に準拠している。
【００１２】
図３は、図１のＯＦＤＭ復調装置の動作を示している。前述のような構成のＯＦＤＭ復調装置１００では、まず、Ａ／Ｄ変換部１１０により、入力信号に対してＡ／Ｄ変換処理が実施される（ステップＳ１）。次に、クロック生成部１２０により、Ａ／Ｄ変換部１１０から供給されるディジタル信号に基づいて基準クロックが生成される（ステップＳ２）。次に、復調部１３０により、Ａ／Ｄ変換部１１０から供給されるディジタル信号に対して所定のタイミングで復調処理が実施される（ステップＳ３）。この後、ＴＭＣＣ情報再生部１４０により、復調信号に含まれるＴＭＣＣ信号が検出され、ＴＭＣＣ信号におけるＴＭＣＣ情報に対する誤り訂正処理によりＴＭＣＣ情報が再生される（ステップＳ４）。このとき、ＯＦＤＭ復調装置１００（主信号処理部１５０）の動作モードの設定に利用されるＴＭＣＣ情報が必要に応じて更新される。そして、主信号処理部１５０により、復調信号に含まれる主信号が検出され、主信号に対して誤り訂正処理が実施される（ステップＳ５）。
【００１３】
図４は、図１のＴＭＣＣ情報再生部および主信号処理部を示している。ＴＭＣＣ情報再生部１４０は、ＤＢＰＳＫ復調部１４１、同期信号検出部１４２、誤り訂正部１４３、比較部１４４、１４５、メモリ制御部１４６およびメモリ部１４７を有している。ＤＢＰＳＫ復調部１４１は、復調部１２０から供給される復調信号をＤＢＰＳＫ（Differential Binary Phase Shift Keying）方式で復調することで、復調信号に含まれるＴＭＣＣ信号を検出して出力する。同期信号検出部１４２は、ＤＢＰＳＫ復調部１４１から供給されるＴＭＣＣ信号における同期信号を検出して比較部１４４に出力する。また、同期信号検出部１４２は、ＴＭＣＣ信号との同期を確立するための信号を誤り訂正部１４３に出力する。
【００１４】
誤り訂正部１４３は、同期信号検出部１４２から供給される信号に基づいてＤＢＰＳＫ復調部１４１から供給されるＴＭＣＣ信号との同期を確立した後、ＴＭＣＣ信号におけるＴＭＣＣ情報に対して誤り訂正処理を実施する。比較部１４４は、同期信号検出部１４２から供給される同期信号を既知信号（既知の同期信号）と比較し、同期信号の誤りビット数ＮＥＢを算出して出力する。比較部１４５は、比較部１４４から供給される誤りビット数ＮＥＢをレジスタ等（図示せず）から供給される閾値と比較する。比較部１４５は、誤りビット数ＮＥＢが閾値より小さい場合、”ＴＭＣＣ信号におけるＴＭＣＣ情報の誤り訂正が可能である”と判定してフラグ信号ＦＬＧを”０”に設定する。比較部１４５は、誤りビット数ＮＥＢが閾値より大きい場合、”ＴＭＣＣ信号におけるＴＭＣＣ情報の誤り訂正が不可能である”と判定してフラグ信号ＦＬＧを”１”に設定する。
【００１５】
メモリ制御部１４６は、比較部１４５から供給されるフラグ信号ＦＬＧが”０”に設定されている場合にのみ、誤り訂正部１４３から供給されるＴＭＣＣ情報（誤り訂正結果）をメモリ部１４７に書き込む。すなわち、メモリ制御部１４６は、フラグ信号ＦＬＧが”０”に設定されている場合には、誤り訂正部１４３から供給されるＴＭＣＣ情報をメモリ部１４７に書き込まない。メモリ部１４７は、メモリ制御部１４６により書き込まれたＴＭＣＣ情報を主信号処理部１５０（インタリーブ誤り訂正部１５２）に出力する。
【００１６】
主信号処理部１５０は、復調部１５１およびインタリーブ誤り訂正部１５２を有している。復調部１５１は、復調信号を所定の復調方式で復調することで、復調信号に含まれる主信号を検出して出力する。インタリーブ誤り訂正部１５２は、ＴＭＣＣ情報再生部１４０（メモリ部１４７）から供給されるＴＭＣＣ情報に基づいて、復調部１５１から供給される主信号に対してインタリーブ誤り訂正処理を実施してＭＰＥＧ−２ＴＳを出力する。
【００１７】
図５は、図４のＴＭＣＣ情報再生部の動作を示している。前述のような構成のＴＭＣＣ情報再生部１４０では、まず、ＤＢＰＳＫ復調部１４１により、復調信号に対してＤＢＰＳ復調処理が実施され、復調信号に含まれるＴＭＣＣ信号が検出される（ステップＳ１１）。次に、同期信号検出部１４２により、ＴＭＣＣ信号における同期信号が検出される（ステップＳ１２）。次に、誤り訂正部１４３により、ＴＭＣＣ信号おけるＴＭＣＣ情報に対して誤り訂正処理が実施され、ＴＭＣＣ情報が再生される（ステップＳ１３）。そして、比較部１４４、１４５により、同期信号の誤りビット数ＮＥＢが算出され、誤りビット数ＮＥＢと閾値との比較結果に基づいて、ＴＭＣＣ信号におけるＴＭＣＣ情報の誤り訂正が可能であるか否かが判定される（ステップＳ１４）。この後、ＴＭＣＣ信号におけるＴＭＣＣ情報の誤り訂正が可能であると判定された場合、メモリ制御部１４６により、誤り訂正部１４３により再生されたＴＭＣＣ情報がメモリ部１４７に書き込まれ、主信号処理部１５０に供給されるＴＭＣＣ情報が更新される（ステップＳ１５）。一方、ＴＭＣＣ信号におけるＴＭＣＣ情報の誤り訂正が不可能であると判定された場合、メモリ制御部１４６により、誤り訂正部１４３により再生されたＴＭＣＣ情報がメモリ部１４７に書き込まれることはなく、主信号処理部１５０に供給されるＴＭＣＣ情報が更新されることはない。
【００１８】
以上のような第１実施形態のＯＦＤＭ復調装置１００では、比較部１４４により算出された同期信号の誤りビット数ＮＥＢが閾値より大きい場合には、比較部１４５によりＴＭＣＣ信号におけるＴＭＣＣ情報の誤り訂正が不可能であると判定されるため、メモリ部１４７により記憶されるＴＭＣＣ情報が誤り訂正部１４３により再生されたＴＭＣＣ情報に更新されることはない。このため、受信状況が劣悪であるために、誤り訂正部１４３により誤ったＴＭＣＣ情報が再生される場合でも、誤ったＴＭＣＣ情報に基づいてＯＦＤＭ復調装置１００（主信号処理部１５０）が動作することはない。
【００１９】
図６は、本発明の比較例を示している。比較例を説明するにあたって、第１実施形態で説明した要素と同一の要素については、同一の符号を付して詳細な説明を省略する。比較例のＯＦＤＭ復調装置は、ＴＭＣＣ情報再生部１４０に代えてＴＭＣＣ情報再生部５４０を有することを除いて、第１実施形態のＯＦＤＭ復調装置１００（図１）と同一である。ＴＭＣＣ情報再生部５４０は、比較部１４４、１４５を有していないこと、およびメモリ制御部１４６に代えてメモリ制御部５４１を有することを除いて、第１実施形態のＴＭＣＣ情報再生部１４０（図４）と同一である。メモリ制御部５４１は、誤り訂正部１４３からＴＭＣＣ情報（誤り訂正結果）が供給されると、メモリ部１４７に書き込む。
【００２０】
図７は、図６のＴＭＣＣ情報再生部の動作を示している。前述のような構成のＴＭＣＣ情報再生部５４０では、まず、ＤＢＰＳＫ復調部１４１により、復調信号に対してＤＢＰＳ復調処理が実施され、復調信号に含まれるＴＭＣＣ信号が検出される（ステップＳ５１）。次に、同期信号検出部１４２により、ＴＭＣＣ信号における同期信号が検出される（ステップＳ５２）。次に、誤り訂正部１４３により、ＴＭＣＣ信号おけるＴＭＣＣ情報に対して誤り訂正処理が実施され、ＴＭＣＣ情報が再生される（ステップＳ５３）。そして、メモリ制御部５４１により、誤り訂正部１４３により再生されたＴＭＣＣ情報がメモリ部１４７に書き込まれ、主信号処理部１５０に供給されるＴＭＣＣ情報が更新される（ステップＳ５４）。
【００２１】
以上のような比較例のＯＦＤＭ復調装置では、受信状況が劣悪であり、誤り訂正部１４３により誤ったＴＭＣＣ情報が再生される場合にも、主信号処理部１５０に供給されるＴＭＣＣ情報が誤り訂正部１４３により再生されたＴＭＣＣ情報に更新される。このため、誤ったＴＭＣＣ情報に基づいてＯＦＤＭ復調装置１００（主信号処理部１５０）が動作してしまう。
【００２２】
図８は、本発明の第２実施形態を示している。第２実施形態を説明するにあたって、第１実施形態で説明した要素と同一の要素については、同一の符号を付して詳細な説明を省略する。第２実施形態のＯＦＤＭ復調装置は、ＴＭＣＣ情報再生部１４０に代えてＴＭＣＣ情報再生部２４０を有することを除いて、第１実施形態のＯＦＤＭ復調装置１００と同一である。
【００２３】
ＴＭＣＣ情報再生部２４０は、誤り訂正部１４３に代えて誤り訂正部２４１を有することを除いて、第１実施形態のＴＭＣＣ情報再生部１４０（図４）と同一である。誤り訂正部２４１は、比較部１４５から供給されるフラグ信号ＦＬＧが”０”に設定されている場合にのみ、同期信号検出部１４２から供給される信号に基づいてＤＢＰＳＫ復調部１４１から供給されるＴＭＣＣ信号との同期を確立した後、ＴＭＣＣ信号におけるＴＭＣＣ情報に対して誤り訂正処理を実施する。
【００２４】
図９は、図８のＴＭＣＣ情報再生部の動作を示している。前述のような構成のＴＭＣＣ情報再生部２４０では、まず、ＤＢＰＳＫ復調部１４１により、復調信号に対してＤＢＰＳ復調処理が実施され、復調信号に含まれるＴＭＣＣ信号が検出される（ステップＳ２１）。次に、同期信号検出部１４２により、ＴＭＣＣ信号における同期信号が検出される（ステップＳ２２）。次に、比較部１４４、１４５により、同期信号の誤りビット数ＮＥＢが算出され、誤りビット数ＮＥＢと閾値との比較結果に基づいて、ＴＭＣＣ信号におけるＴＭＣＣ情報の誤り訂正が可能であるか否かが判定される（ステップＳ２３）。この後、ＴＭＣＣ信号におけるＴＭＣＣ情報の誤り訂正が可能であると判定された場合、誤り訂正部２４１により、ＴＭＣＣ信号おけるＴＭＣＣ情報に対して誤り訂正処理が実施され、ＴＭＣＣ情報が再生される（ステップＳ２４）。そして、メモリ制御部１４６により、誤り訂正部２４１により再生されたＴＭＣＣ情報がメモリ部１４７に書き込まれ、主信号処理部１５０に供給されるＴＭＣＣ情報が更新される（ステップＳ２５）。一方、ＴＭＣＣ信号におけるＴＭＣＣ情報の誤り訂正が不可能であると判定された場合、誤り訂正部２４１により、ＴＭＣＣ信号おけるＴＭＣＣ情報に対して誤り訂正処理が実施されることはない。従って、主信号処理部１５０に供給されるＴＭＣＣ情報が更新されることはない。
【００２５】
以上のような第２実施形態のＯＦＤＭ復調装置では、比較部１４５によりＴＭＣＣ信号におけるＴＭＣＣ情報の誤り訂正が可能であると判定された場合（フラグ信号ＦＬＧが”０”に設定されている場合）にのみ、誤り訂正部２４１が誤り訂正処理を実施する。このため、第２実施形態のＯＦＤＭ復調装置では、第１実施形態のＯＦＤＭ復調装置１００に比べて、消費電力を削減できる。
【００２６】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００２７】
【図１】本発明の第１実施形態を示すブロック図である。
【図２】ＴＭＣＣ信号の仕様を示す説明図である。
【図３】図１のＯＦＤＭ復調装置の動作を示すフロー図である。
【図４】図１のＴＭＣＣ情報再生部および主信号処理部を示すブロック図である。
【図５】図４のＴＭＣＣ情報再生部の動作を示すフロー図である。
【図６】本発明の比較例を示すブロック図である。
【図７】図６のＴＭＣＣ情報再生部の動作を示すフロー図である。
【図８】本発明の第２実施形態を示すブロック図である。
【図９】図８のＴＭＣＣ情報再生部の動作を示すフロー図である。
【符号の説明】
【００２８】
１００‥ＯＦＤＭ復調装置；１１０‥Ａ／Ｄ変換部；１２０‥クロック生成部；１３０‥復調部；１４０‥ＴＭＣＣ情報再生部；１４１‥ＤＢＰＳＫ復調部；１４２‥同期信号検出部；１４３‥誤り訂正部；１４４‥比較部；１４５‥比較部；１４６‥メモリ制御部；１４７‥メモリ部；１５０‥主信号処理部；１５１‥復調部；１５２‥インタリーブ誤り訂正部；２４０‥ＴＭＣＣ情報再生部；２４１‥誤り訂正部
【図１】
2007235789.tif 000003
【図２】
2007235789.tif 000004
【図３】
2007235789.tif 000005
【図４】
2007235789.tif 000006
【図５】
2007235789.tif 000007
【図６】
2007235789.tif 000008
【図７】
2007235789.tif 000009
【図８】
2007235789.tif 000010
【図９】
2007235789.tif 000011